(57)【要約】【課題】プロジェクタ式ランプによる発光部の面積を拡大して被視認性および外観性の向上を可能とする自動二輪車の灯火装置を提供する。【解決手段】プロジェクタ式ランプ３０Ｌをハウジング１１に収納したヘッドランプユニット１０において、楕円リフレクタ３５Ｌにバルブ３３Ｌの照射光を外方に漏らすための開口部３８を設け、ハウジング１１の内側に、照射光を車両前方側に反射する反射部１７と、該反射部１７で反射された反射光をヘッドランプユニット１０の外方に透過するインナレンズ４０とを設ける。開口部３８には、バルブ３３の照射光を反射部１７の方向へ反射するサブリフレクタ３９を設ける。インナレンズ４０は、ハーフミラーの機能を有すると共にプロジェクタ式ランプ３０Ｌの凸レンズ３１Ｌを囲う囲繞部を形成し、点灯時に凸レンズ３１Ｌの周囲をぼんやり光らせる。プロジェクタ式ランプは左右２灯式等に構成できる。【選択図】図４
2008068680.tif 000002
【特許請求の範囲】
【請求項１】
プロジェクタ式ランプをハウジングに収納した自動二輪車の灯火装置において、
前記プロジェクタ式ランプのリフレクタに、バルブの照射光を外方に漏らすための開口部が設けられ、
前記ハウジングの内側に、前記開口部からの漏れ光を車両前方側に反射する反射部と、該反射部で反射された反射光を前記灯火装置の外方に透過するインナレンズとが設けられていることを特徴とする自動二輪車の灯火装置。
【請求項２】
前記開口部には、前記バルブの照射光を前記反射部の方向へ反射するサブリフレクタが設けられていることを特徴とする請求項１に記載の自動二輪車の灯火装置。
【請求項３】
前記インナレンズは、ハーフミラーの機能を有すると共に、前記プロジェクタ式ランプの凸レンズを囲う囲繞部を形成することを特徴とする請求項１または２に記載の自動二輪車の灯火装置。
【発明の詳細な説明】
【技術分野】
【０００１】
本発明は、自動二輪車の灯火装置に係り、特に、プロジェクタ式ランプによる発光面積を拡大して被視認性および外観性の向上を可能とする自動二輪車の灯火装置に関する。
【背景技術】
【０００２】
従来から、車両の前照灯に用いられるランプとして、バルブの発する光を回転楕円形状のリフレクタで焦点に集光し、この集光位置に焦点を持つ凸レンズを通して照射する方式のプロジェクタ式ランプが知られている。このプロジェクタ式ランプは、通常のリフレクタ式ランプに比して小型で大光量を得ることができる一方、凸レンズで集光して照射する構造上、発光部の面積が小さいという特徴を有する。
【０００３】
特許文献１には、プロジェクタ式ランプのリフレクタに２つの凸レンズを近接して取り付け、１つのバルブの照射光が２つの凸レンズから照射されるようにしたプロジェクタ式ランプが開示されている。このような構成によれば、灯体の大型化を抑えつつ発光部の面積を拡大することが可能となる。
【特許文献１】特開２００３−１８２６６６号公報
【発明の開示】
【発明が解決しようとする課題】
【０００４】
しかしながら、特許文献１の技術では、１つのプロジェクタ式ランプに２つの凸レンズを使用するので、部品点数および組立時の作業工数が増大するという課題があった。また、発光部が凸レンズ部のみであることは通常のプロジェクタ式ランプと同様であり、発光面積の拡大に関しては未だ工夫の余地があった。
【０００５】
本発明の目的は、上記した従来技術の課題を解決し、プロジェクタ式ランプによる発光面積を拡大して被視認性および外観性の向上を可能とする自動二輪車の灯火装置を提供することにある。
【課題を解決するための手段】
【０００６】
前記した目的を達成するために、本発明は、プロジェクタ式ランプをハウジングに収納した自動二輪車の灯火装置において、前記プロジェクタ式ランプのリフレクタに、バルブの照射光を外方に漏らすための開口部が設けられ、前記ハウジングの内側に、前記開口部からの漏れ光を車両前方側に反射する反射部と、該反射部で反射された反射光を前記灯火装置の外方に透過するインナレンズとが設けられている点に第１の特徴がある。
【０００７】
また、前記開口部には、前記バルブの照射光を前記反射部の方向へ反射するサブリフレクタが設けられている点に第２の特徴がある。
【０００８】
さらに、前記インナレンズは、ハーフミラーの機能を有すると共に、前記プロジェクタ式ランプの凸レンズを囲う囲繞部を形成する点に第３の特徴がある。
【発明の効果】
【０００９】
第１の発明によれば、プロジェクタ式ランプのリフレクタに、バルブの照射光を外方に漏らすための開口部が設けられ、ハウジングの内側に、開口部からの漏れ光を車両前方側に反射する反射部と、該反射部で反射された反射光を灯火装置の外方に透過および指向させるインナレンズとが設けられているので、凸レンズやバルブ等を増設することなくプロジェクタ式ランプによる発光面積を拡大することができ、灯火装置の被視認性および外観性を向上させることが可能となる。また、灯火装置の消費電力が増大せず、かつ灯体の前後長の拡大等の大型化を抑えながら発光面積を拡大することができる。
【００１０】
第２の発明によれば、バルブの照射光を反射部の方向へ反射するサブリフレクタが開口部に設けられているので、開口部からの漏れ光が確実に反射部へ導かれ、漏れ光によるインナレンズの発光を効率よく行うことが可能となる。
【００１１】
第３の発明によれば、インナレンズがハーフミラーの機能を有すると共に、プロジェクタ式ランプの凸レンズを囲う囲繞部を形成するので、日中は自然光を反射する鏡として機能する一方、夜間はバルブ照射光によって光る囲繞部が得られることとなり、昼夜を通して高い被視認性を確保しながら、昼夜で異なる外観を有する灯火装置が得られるようになる。また、囲繞部の形状を生物の眼の「白目」部分のように形成することで、凸レンズを「黒目」部分とした光る生物の眼のような印象を観察者に想起させることが可能となり、被視認性をさらに高めることが可能となる。
【発明を実施するための最良の形態】
【００１２】
以下、図面を参照して本発明の好ましい実施の形態について詳細に説明する。図１は、本発明を適用した自動二輪車の一実施形態の正面図である。自動二輪車１には、長距離走行等に適するよう防風性能が高められた幅広のフロントカウル２が備えられている。このフロントカウル２には、左右のウィンカ装置６Ｌ，６Ｒを内蔵するバックミラーハウジング５Ｌ，５Ｒが一体的に形成されると共に、電動モータで高さ調整が可能なウィンドスクリーン３が取り付けられている。そして、不図示の前輪を覆うフロントフェンダ７の上方かつ車幅方向左右のサイドカウル４Ｌ，４Ｒの間の位置に、２つのプロジェクタ式ランプを使用した灯火装置としてのヘッドランプユニット１０が取り付けられている。
【００１３】
図２は、本発明の一実施形態に係るヘッドランプユニット１０の正面図であり、図３は、図２のＡ−Ａ線断面図である。ヘッドランプユニット１０は、車幅方向外側に向かって細く、かつ左右両端部が上方に湾曲した形状のハウジング１１に、中央のリフレクタ式ランプ２０と左右のプロジェクタ式ランプ３０Ｌ，３０Ｒとを収納し、さらに、無色透明のアクリル等で形成されたアウターレンズ１６で車両前方側を一体的に覆った構成とされている。
【００１４】
中央のリフレクタ式ランプ２０は、ソケット２３によって固定されたバルブ２１の照射光を、複数の反射面を有するマルチリフレクタ２２で反射する方式であり、走行ビームとしてのハイビーム（上向きビーム）時にのみ点灯するように設定されている。一方、リフレクタ式ランプ２０の左右に配設されるプロジェクタ式ランプ３０Ｌ，３０Ｒは、前記ハイビーム時と、すれ違いビームとしてのロービーム（下向きビーム）時との両方で点灯するように設定されている。
【００１５】
本実施形態に係るプロジェクタ式ランプ３０Ｌ，３０Ｒは左右対称の構成とされるため、以下は、車体左側のプロジェクタ式ランプ３０Ｌのみで説明を行う。なお、車体右側のプロジェクタ式ランプ３０Ｒの各部品は、図中に「Ｒ」を付記している。プロジェクタ式ランプ３０Ｌは、発光源であるバルブ３３Ｌ、該バルブ３３Ｌを支持するソケット３４Ｌ、部分回転楕円面（以下、単に「楕円面」という）を有する楕円リフレクタ３５Ｌ、任意の照射範囲を得るためにバルブ３３Ｌの照射光の一部を制限する遮光板３７Ｌ、前記楕円リフレクタ３５に取り付けられたレンズ保持部３６Ｌ、該レンズ保持部３６Ｌに保持された凸レンズ３１Ｌによって構成されている。そして、バルブ３３Ｌの照射光は、楕円リフレクタ３５Ｌで集光された後、該楕円リフレクタ３５Ｌの焦点と同位置に焦点が位置するように取り付けられた略半球状の凸レンズ３１Ｌを通じて車両前方側に照射されることとなる。
【００１６】
本実施形態に係るヘッドランプユニット１０は、図２の正面図に示すように、左右のプロジェクタ式ランプ３０Ｌ，３０Ｒの凸レンズ３１Ｌ，３１Ｒの周囲に、囲繞部３２Ｌ，３２Ｒが形成されている。この囲繞部３２Ｌ，３２Ｒは、凸レンズ３１Ｌ，３１Ｒを生物の眼の「黒目」部分と想定した際の「白目」部分に当たる形状とされ、ヘッドランプユニット１０の外観に両端がつり上がった生物の両眼を想起させて、自動二輪車１の被視認性を高める効果を奏するものである。なお、プロジェクタ式ランプ３０Ｌ，３０Ｒの照射光がリフレクタ式ランプ２０側に漏れないようにする遮蔽板１５，１５は、前記囲繞部３２Ｌ，３２Ｒを構成するインナレンズ（図４参照）と一体的に構成することができる。
【００１７】
また、リフレクタ式ランプ２０およびプロジェクタ式ランプ３０Ｌ，３０Ｒは、図示破線で示すようにそれぞれ独立して光軸調整ができるように構成されており、左右のプロジェクタ式ランプ３０Ｌ，３０Ｒは、ハウジング１１に固定された前記インナレンズに形成される貫通孔（不図示）から凸レンズ３１Ｌ，３１Ｒが車両前方側に臨むように構成されている。なお、樹脂等で形成されると共に、前記ソケット２３，３４Ｌ，３４Ｒに電力を供給するコネクタ１２が配設されたハウジング１１は、その四隅に形成された取付ステー１３，１４によって前記フロントカウル２の裏面側に固定されることとなる。
【００１８】
図４は、図２のＢ−Ｂ線断面図である。前記と同一符号は、同一または同等部分を示す。前記したように、プロジェクタ式ランプ３０Ｌ，３０Ｒは左右対称の構成を有するため、以下は、左側のみで説明を行う。プロジェクタ式ランプ３０Ｌの楕円リフレクタ３５Ｌには、その上部にバルブ３３Ｌの照射光の一部を外方に漏らすための開口部３８が形成されている。そして、この開口部３８には、小型の反射板であるサブリフレクタ３９が設けられており、開口部３８からの漏れ光が前記ハウジング１１の内面側に反射されるように構成されている。さらに、ハウジング１１の内面側には、サブリフレクタ３９によって反射された反射光を車両前方側に反射する反射部１７が設けられており、この複数の段を有するステップ形状とされる反射部１７に反射された反射光が、インナレンズ４０およびアウターレンズ１６を透過して車両前方側に照射されることとなる。これにより、インナレンズ４０によって構成される前記囲繞部３２Ｌ，３２Ｒは、図示破線矢印のように導かれるバルブ３３Ｌの照射光によって発光することが可能となる。
【００１９】
前記反射部１７は、樹脂等で形成されるハウジング１１に対して、塗装やメッキ、金属蒸着等を直接施すほか、インナレンズ４０の全体が均等に光るように、照射光を拡散反射させる表面加工を施したり、また、別体式の発泡光反射板等を取り付ける構成とすることが可能である。
【００２０】
また、前記インナレンズ４０は、例えば、スパッタリングによる薄い金属被膜を形成することで、反射率と透過率とを同等としたハーフミラーで構成することができる。このようなハーフミラーレンズによれば、例えば、日中は自然光を反射する鏡として機能する一方、夜間はバルブ３３Ｌの照射光によって光る囲繞部３２Ｌ，３２Ｒが得られることとなり、昼夜を通して高い被視認性を確保しながら、昼夜で異なる外観性を得ることが可能となる。なお、インナレンズ４０は、誘多膜ハーフミラーやクロムハーフミラー等、種々のハーフミラーで構成することが可能である。また、インナレンズ４０によって構成される前記囲繞部３２Ｌ，３２Ｒに、前記凸レンズ３１Ｌ，３１Ｒに比してどの程度の光量で発光させるかは、前記開口部の大きさ、サブリフレクタの反射率、反射部の反射率、インナレンズの透過率等によって任意に設定することが可能である。例えば、凸レンズ３１Ｌ，３１Ｒに比して前記囲繞部３２Ｌ，３２Ｒがぼんやり光るよう、光量が少なくなるように設定すれば、点灯時の両者のコントラストが増すことにより、さらに生物の眼のような印象を強く与えることができるようになる。なお、漏れ光を反射するサブリフレクタ３９は、楕円リフレクタ３５Ｌと一体的に形成してもよく、また、ハウジング１１の形状等により、サブリフレクタ３９を設けずに開口部３８からの漏れ光を反射部１７に導く構成とすることも可能である。
【００２１】
図５は、本発明の一実施形態に係るヘッドランプユニットのプロジェクタ式ランプの点灯状態を示す模式図である。前記と同一符号は、同一または同等部分を示す。図５（ａ）は、前記漏れ光を用いない点灯状態、図５（ｂ）は前記漏れ光を用いて囲繞部３２Ｌ，３２Ｒを点灯させた状態を示す。従来方式のプロジェクタ式ランプでは、図５（ａ）に示すように、点灯時に観察者から発光して見えるのは凸レンズ３１Ｌ，３１Ｒの部分のみである。これに対して、前記漏れ光によって囲繞部３２Ｌ，３２Ｒを点灯させた図５（ｂ）では、発光面積が大幅に拡大されるので、観察者からの被視認性が高められることとなる。なお、前記開口部３８（図４参照）を任意に開閉する機構を備えることで、囲繞部３２Ｌ，３２Ｒの点灯・非点灯を任意に切り替えるように構成することもできる。
【００２２】
上記したように、本発明に係る自動二輪車の灯火装置によれば、プロジェクタ式ランプのリフレクタに設けた開口部からの漏れ光によって、プロジェクタ式ランプの凸レンズの周囲に配設したインナレンズを発光させるようにしたので、凸レンズやバルブを増設することなくプロジェクタ式ランプによる発光面積の拡大が可能となり、灯火装置の被視認性および外観性を向上させることができる。また、消費電力が増大することなく、かつ灯体の大型化を抑えながら発光面積の拡大が可能な灯火装置が得られるようになる。
【００２３】
なお、開口部の配置や形状、サブリフレクタの材質や形状、インナレンズの材質や形状および表面加工の種類、反射部の構造や形状および表面加工の種類等は、上記した実施形態に限られず、種々の変形が可能であることは勿論である。例えば、インナレンズによって構成される囲繞部は、生物の眼を想起させる形状に限られず、様々な意匠とすることが可能である。
【図面の簡単な説明】
【００２４】
【図１】本発明の一実施形態に係る自動二輪車の正面図である。
【図２】本発明の一実施形態に係るヘッドランプユニットの正面図である。
【図３】図２のＡ−Ａ線断面図である。
【図４】図２のＢ−Ｂ線断面図である。
【図５】本発明の一実施形態に係るヘッドランプユニットの点灯状態を示す模式図である。
【符号の説明】
【００２５】
２…フロントカウル、１０…ヘッドランプユニット（灯火装置）、１１…ハウジング、１６…アウターレンズ、１７…反射部、３０Ｌ…プロジェクタ式ランプ、３１Ｌ…凸レンズ、３２Ｌ，３２Ｒ…囲繞部、３５Ｌ…楕円リフレクタ、３６Ｌ…レンズ保持部、３８…開口部、３９…サブリフレクタ、４０…インナレンズ
【図１】
2008068680.tif 000003
【図２】
2008068680.tif 000004
【図３】
2008068680.tif 000005
【図４】
2008068680.tif 000006
【図５】
2008068680.tif 000007